(57)【特許請求の範囲】
【請求項１】
複数の基地局で形成されるグループを識別するグループ識別情報を含む信号をハンドオーバ元の基地局から間欠的に受信する間欠受信期間を記憶する記憶部と、
前記基地局の電波の受信品質が閾値よりも低く、かつ、前記基地局に隣接する複数の隣接基地局各々の前記グループ識別情報を前記基地局から受信していない場合に、前記間欠受信期間において各前記隣接基地局に順次接続する接続制御部と、
接続された前記隣接基地局から前記信号を受信したか否か、並びに、受信した前記信号に含まれる前記グループ識別情報を用いて、前記隣接基地局が前記基地局と同一の前記グループに属するか否かを判定するグループ判定部と、
前記基地局からハンドオーバ先の基地局へのハンドオーバを行う際に、複数の前記隣接基地局のうち前記基地局と同一の前記グループに属すると判定された前記隣接基地局を前記ハンドオーバ先の基地局として優先的に選定するハンドオーバ制御部と
を備えたことを特徴とする通信端末装置。
【請求項２】
複数の前記隣接基地局のうち前記基地局と同一の前記グループに属すると判定された前記隣接基地局から受信した前記信号に、前記グループ識別情報に加えて自装置宛ての動作指示が含まれるか否かを判定する指示有無判定部と、
前記信号に含まれると判定された前記自装置宛ての動作指示に基づいて、所定の動作を行う動作実行部と
をさらに備えたことを特徴とする請求項１に記載の通信端末装置。
【請求項３】
前記グループ判定部による判定処理が実行される前に、各前記隣接基地局の電波の受信品質を測定するスキャン処理部をさらに備え、
前記接続制御部は、前記スキャン処理部によって測定された電波の受信品質が最も良い前記隣接基地局から電波の受信品質が最も悪い前記隣接基地局へ向かう順序で、前記間欠受信期間において各前記隣接基地局に順次接続し、複数の前記隣接基地局のうち前記グループ判定部によって前記基地局と同一の前記グループに属すると判定された前記隣接基地局以外の他の隣接基地局への接続を中止することを特徴とする請求項１または２に記載の通信端末装置。
【請求項４】
前記基地局は、当該通信端末装置に対して前記信号を送信する送信期間と異なる他の送信期間に当該通信端末装置と異なる他の通信端末装置に対して前記信号を送信し、
前記接続制御部は、前記信号の受信履歴と前記記憶部に記憶された前記間欠受信期間とに基づいて、前記間欠受信期間と異なる他の間欠受信期間として前記他の送信期間を取得し、取得した前記他の間欠受信期間を前記間欠受信期間とは別に前記記憶部に登録し、さらに、前記基地局の電波の受信品質が閾値よりも低く、かつ、前記基地局に隣接する複数の隣接基地局各々の前記グループ識別情報を前記基地局から受信していない場合に、前記間欠受信期間または前記他の間欠受信期間において各前記隣接基地局に順次接続することを特徴とする請求項１〜３のいずれか一つに記載の通信端末装置。
【請求項５】
前記スキャン処理部は、前記接続制御部によって前記間欠受信期間または前記他の間欠受信期間において接続された前記隣接基地局の電波の受信品質を測定することを特徴とする請求項４に記載の通信端末装置。
【請求項６】
通信端末装置によって実行される通信制御方法であって、
複数の基地局で形成されるグループを識別するグループ識別情報を含む信号をハンドオーバ元の基地局から間欠的に受信する間欠受信期間を記憶する記憶部を備える前記通信端末装置は、
ハンドオーバ元の基地局の電波の受信品質が閾値よりも低く、かつ、前記基地局に隣接する複数の隣接基地局各々の前記グループ識別情報を前記基地局から受信していない場合に、前記間欠受信期間において各前記隣接基地局に順次接続し、
接続された前記隣接基地局から前記信号を受信したか否か、並びに、受信した前記信号に含まれる前記グループ識別情報を用いて、前記隣接基地局が前記基地局と同一の前記グループに属するか否かを判定し、
前記基地局からハンドオーバ先の基地局へのハンドオーバを行う際に、複数の前記隣接基地局のうち前記基地局と同一の前記グループに属すると判定された前記隣接基地局を前記ハンドオーバ先の基地局として優先的に選定する
ことを含んだことを特徴とする通信制御方法。
【発明の詳細な説明】
【技術分野】
【０００１】
本発明は、通信端末装置および通信制御方法に関する。
【背景技術】
【０００２】
従来、基地局の通信エリアに在圏する通信端末装置（以下「通信端末」という）は、待ち受け時の電力の消費を抑えるために、間欠受信と呼ばれる処理を行う。間欠受信は、通信端末への呼び出しを行うページング信号が基地局から周期的に送信される送信期間において、通信端末を電源オンの状態（以下「アウェイク状態」という）とし、アウェイク状態となった通信端末がページング信号を受信するという処理である。間欠受信では、ページング信号の送信期間以外の期間において通信端末は電源オフの状態（以下「スリープ状態」という）となる。すなわち、通信端末は、自身が現に在圏する基地局（以下「ハンドオーバ元基地局」という）からページング信号を間欠的に受信する。通信端末がページング信号をハンドオーバ元基地局から間欠的に受信する期間は、間欠受信期間と呼ばれる。
【０００３】
ところで、近年では、間欠受信を行う通信端末の位置情報を複数の基地局において一括で管理するために、複数の基地局によって論理的なグループが形成されることがある。例えばＩＥＥＥ８０２．１６ｅにおいて規定される通信規格であるＷｉＭＡＸ（Worldwide  Interoperability  for  Microwave  Access）では、かかるグループをページンググループ（ＰＧ：Paging  Group）と呼ぶ。ＰＧに属する各基地局と通信端末とは、ＰＧを識別するグループ識別情報であるＰＧ−ＩＤ（Identifier）を共有しており、通信端末は、同一のＰＧに属する基地局との間で間欠受信期間を同期させることができる。なお、間欠受信期間に通信端末によって受信されるページング信号には、ＰＧ−ＩＤが含まれる。
【０００４】
ここで、通信端末はハンドオーバ元基地局から他の基地局へのハンドオーバを行うが、ハンドオーバ先の基地局がハンドオーバ元基地局と異なるＰＧに属する場合がある。この場合には、通信端末の位置情報をハンドオーバ先の基地局に改めて通知する処理（位置更新処理）が行われる。位置更新処理は、上述の間欠受信期間以外の期間、換言すれば、通信端末がスリープ状態となる期間に行われる。このため、ハンドオーバ元基地局と異なるＰＧに属する基地局へハンドオーバした通信端末は、同一のＰＧに属する基地局へハンドオーバする場合と比較して位置更新処理の分だけ余分な電力を消費する。
【０００５】
これに対し、位置更新処理を不要化するために、ハンドオーバ元基地局に隣接する各隣接基地局のＰＧ−ＩＤをハンドオーバ元基地局から通信端末へ周期的にブロードキャストする技術が知られている。この技術では、通信端末は、各隣接基地局のＰＧ−ＩＤを受信し、受信したＰＧ−ＩＤを用いて、隣接基地局がハンドオーバ元基地局と同一のＰＧに属するか否かを判定する。そして、通信端末は、ハンドオーバを行う際に、隣接基地局の中から、ハンドオーバ元基地局と同一のＰＧに属すると判定された隣接基地局をハンドオーバ先の基地局として優先的に選定する。
【０００６】
ただし、通信端末の移動速度の大きさによっては、通信端末がＰＧ−ＩＤをハンドオーバ元基地局から未だ受信できていないにも関わらず、ハンドオーバが開始されてしまう可能性もある。そこで、通信端末がＰＧ−ＩＤを受信できていないにも関わらず、ハンドオーバが開始されると判断した場合に、通信端末が隣接基地局に接続し、隣接基地局に保持されるページング信号からＰＧ−ＩＧを事前に取得する技術が提案されている。
【先行技術文献】
【特許文献】
【０００７】
【特許文献１】特開２００９−１８２５４９号公報
【発明の概要】
【発明が解決しようとする課題】
【０００８】
しかしながら、隣接基地局に保持されるページング信号から通信端末がＰＧ−ＩＧを事前に取得する従来技術では、ハンドオーバに起因する電力が無駄に増大するという問題がある。
【０００９】
すなわち、従来技術では、ＰＧ−ＩＧをハンドオーバの実行前に取得する処理が、間欠受信期間以外の期間、換言すれば、通信端末がスリープ状態となる期間に行われる。このため、従来技術では、ＰＧ−ＩＧをハンドオーバの実行前に取得する処理の分だけ通信端末が余分な電力を消費してしまい、結果として、ハンドオーバに起因する電力が無駄に増大してしまう。
【００１０】
開示の技術は、上記に鑑みてなされたものであって、ハンドオーバに起因する電力の消費を適切に抑えることができる通信端末装置および通信制御方法を提供することを目的とする。
【課題を解決するための手段】
【００１１】
本願の開示する通信端末装置は、一つの態様において、記憶部と、接続制御部と、グループ判定部と、ハンドオーバ制御部とを備える。記憶部は、複数の基地局で形成されるグループを識別するグループ識別情報を含む信号をハンドオーバ元の基地局から間欠的に受信する間欠受信期間を記憶する。接続制御部は、前記基地局の電波の受信品質が閾値よりも低く、かつ、前記基地局に隣接する複数の隣接基地局各々の前記グループ識別情報を前記基地局から受信していない場合に、前記間欠受信期間において各前記隣接基地局に順次接続する。グループ判定部は、接続された前記隣接基地局から前記信号を受信したか否か、並びに、受信した前記信号に含まれる前記グループ識別情報を用いて、前記隣接基地局が前記基地局と同一の前記グループに属するか否かを判定する。ハンドオーバ制御部は、前記基地局からハンドオーバ先の基地局へのハンドオーバを行う際に、複数の前記隣接基地局のうち前記基地局と同一の前記グループに属すると判定された前記隣接基地局を前記ハンドオーバ先の基地局として優先的に選定する。
【発明の効果】
【００１２】
本願の開示する通信端末装置の一つの態様によれば、ハンドオーバに起因する電力の消費を適切に抑えることができるという効果を奏する。
【図面の簡単な説明】
【００１３】
【図１】図１は、実施例１に係る通信端末を含む無線通信システムの構成例を示す図である。
【図２】図２は、Ｐ信号のデータ構造例を示す図である。
【図３】図３は、実施例１に係る通信端末の構成を示す機能ブロック図である。
【図４】図４は、基地局情報記憶部の一例を示す図である。
【図５】図５は、間欠受信期間情報記憶部の一例を示す図である。
【図６】図６は、間欠受信動作の一例を示す図である。
【図７】図７は、周波数情報記憶部の一例を示す図である。
【図８】図８は、実施例１に係る通信端末による処理手順を示すフローチャートである。
【図９】図９は、実施例２に係る通信端末の構成を示す機能ブロック図である。
【図１０】図１０は、動作指示（Action  Code）の内容の一例を示す図である。
【図１１】図１１は、実施例２に係る通信端末による処理手順を示すフローチャートである。
【図１２】図１２は、実施例３に係る通信端末の構成を示す機能ブロック図である。
【図１３】図１３は、実施例３に係る通信端末による処理手順を示すフローチャートである。
【図１４】図１４は、実施例４に係る通信端末の構成を示す機能ブロック図である。
【図１５】図１５は、Ｐ信号の受信履歴の一例を示す図である。
【図１６】図１６は、実施例４における接続制御部が他の間欠受信期間を取得する処理の一例について説明するための図である。
【図１７】図１７は、間欠受信期間情報記憶部に記憶された他の間欠受信期間の一例を示す図である。
【図１８】図１８は、実施例４に係る通信端末による処理手順を示すフローチャートである。
【図１９】図１９は、実施例５に係る通信端末の構成を示す機能ブロック図である。
【図２０】図２０は、実施例５に係る通信端末による処理手順を示すフローチャートである。
【図２１】図２１は、通信端末のハードウェア構成図である。
【発明を実施するための形態】
【００１４】
以下に、本願の開示する通信端末および通信制御方法の実施例を図面に基づいて詳細に説明する。なお、この実施例により開示技術が限定されるものではない。
【実施例１】
【００１５】
図１は、実施例１に係る通信端末を含む無線通信システムの構成例を示す図である。図１に示すように、無線通信システムは、複数の基地局１０ａ〜１０ｃと、通信端末１００とを有する。複数の基地局１０ａ〜１０ｃは、破線で示される通信エリアをそれぞれ形成する。
【００１６】
通信端末１００は、移動可能な無線通信装置であり、例えば、携帯電話である。図１に示す例では、通信端末１００は、基地局１０ａの通信エリアから基地局１０ａに隣接する隣接基地局である基地局１０ｂおよび基地局１０ｃの通信エリアへ移動する。通信端末１００は、自身が現に在圏する基地局１０ａ（以下適宜「ハンドオーバ（ＨＯ：Handover）元基地局１０ａ」という）からページング信号（以下適宜「Ｐ（Paging）信号」という）を間欠的に受信する間欠受信を行う。通信端末１００がＰ信号をＨＯ元基地局１０ａから間欠的に受信する期間は、間欠受信期間と呼ばれる。通信端末１００は、間欠受信期間においてアウェイク状態となり、間欠受信期間以外の期間においてスリープ状態となる。
【００１７】
また、本実施例では、Ｐ信号を間欠的に受信する通信端末１００の位置情報を複数の基地局において一括で管理するために、複数の基地局によって論理的なグループが形成されている。この論理的なグループは、例えばＩＥＥＥ８０２．１６ｅにおいて規定される通信規格であるＷｉＭＡＸにおいてページンググループ（ＰＧ：Paging  Group）と呼ばれるものである。図１に示す例では、ＨＯ元基地局１０ａと基地局１０ｂとでＰＧが形成され、基地局１０ｃと図示しない基地局とで他のＰＧが形成されているものとする。同一のＰＧに属するＨＯ元基地局１０ａおよび基地局１０ｂと通信端末１００とは、ＰＧを識別する識別情報であるＰＧ−ＩＤ「ＰＧ＃１」を共有しており、通信端末１００は、基地局１０ａおよび基地局１０ｂとの間で間欠受信期間を同期させることができる。ＰＧ−ＩＤは、グループ識別情報の一例である。つまり、通信端末１００がＨＯ元基地局１０ａから基地局１０ｂへのハンドオーバを行う場合には、ハンドオーバ先の基地局（以下適宜「ＨＯ先基地局」という）である基地局１０ｂがＨＯ元基地局１０ａと同一のＰＧに属することとなる。このため、通信端末１００は、ＨＯ先基地局としての基地局１０ｂに対する位置更新処理を不要化することができる。
【００１８】
一方で、他のＰＧに属する基地局１０ｃと通信端末１００とは、ＰＧ−ＩＤを共有していないため、通信端末１００は、基地局１０ｃとの間で間欠受信期間を同期させることができない。つまり、通信端末１００がＨＯ元基地局１０ａから基地局１０ｃへのハンドオーバを行う場合には、ＨＯ先基地局としての基地局１０ｃがＨＯ元基地局１０ａと異なるＰＧに属することとなる。このため、通信端末１００は、ＨＯ先基地局としての基地局１０ｃに対して位置更新処理を行うこととなる。
【００１９】
これに対し、位置更新処理を不要化するために、ＨＯ元基地局に隣接する各隣接基地局のＰＧ−ＩＤをＨＯ元基地局から通信端末１００へ周期的にブロードキャストする技術が知られている。この技術では、通信端末１００は、各隣接基地局のＰＧ−ＩＤを受信し、受信したＰＧ−ＩＤを用いて、隣接基地局がＨＯ元基地局と同一のＰＧに属するか否かを判定する。そして、通信端末１００は、ハンドオーバを行う際に、隣接基地局の中から、ＨＯ元基地局と同一のＰＧに属すると判定された隣接基地局をＨＯ先基地局として優先的に選定する。
【００２０】
ただし、通信端末１００の移動速度の大きさによっては、通信端末１００がＰＧ−ＩＤをＨＯ元基地局から未だ受信できていないにも関わらず、ハンドオーバが開始されてしまい、結果として、通信端末１００がＨＯ先基地局に対して位置更新処理を行う場合がある。このような事態を回避するために、隣接基地局に保持されるＰ信号からＰＧ−ＩＤを事前に取得する従来技術が提案されている。しかしながら、ＰＧ−ＩＤをハンドオーバの実行前に取得する処理は、通信端末１００がスリープ状態となる期間に行われる。そのため、通信端末１００が余分な電力を消費してしまい、結果として、ハンドオーバに起因する電力が無駄に増大してしまう。
【００２１】
そこで、本実施例の通信端末１００は、隣接基地局各々のＰＧ−ＩＤをＨＯ元基地局から未だ受信していない場合に、間欠受信期間において各隣接基地局に順次接続し、接続された隣接基地局からＰ信号を受信する。そして、通信端末１００は、受信したＰ信号に含まれるＰＧ−ＩＤを用いて、隣接基地局がＨＯ元基地局と同一のＰＧに属するか否かを判定し、複数の隣接基地局のうち同一のＰＧに属すると判定された隣接基地局をＨＯ先基地局として優先的に選定する。このため、本実施例の通信端末１００は、ハンドオーバ後にＨＯ先基地局に対して位置更新処理が実行されることを不要化するとともに、通信端末１００がスリープ状態となる期間に行われるＰＧ−ＩＤの取得処理を省略することができる。結果として、本実施例の通信端末１００は、ハンドオーバに起因する電力の消費を適切に抑えることができる。
【００２２】
次に、間欠受信期間に通信端末によって受信されるＰ信号のデータ構造例について説明する。図２は、Ｐ信号のデータ構造例を示す図である。図２に示すように、Ｐ信号には、ＰＧ−ＩＤが含まれる。また、Ｐ信号には、ＰＧ−ＩＤの他に、信号種別識別子が含まれる。信号種別識別子には、Ｐ信号を一意に識別するための識別子が格納される。また、Ｐ信号には、ＰＧ−ＩＤおよび信号種別識別子の他に、ハッシュ値および動作指示が含まれることがある。ハッシュ値には、通信端末１００宛ての動作指示がＰ信号に含まれる場合にその旨を示すハッシュ値が格納される。動作指示には、通信端末１００宛ての動作指示が格納される。
【００２３】
次に、図１に示した通信端末１００の構成について説明する。図３は、実施例１に係る通信端末の構成を示す機能ブロック図である。図３に示すように、通信端末１００は、無線制御部１０１、基地局情報記憶部１０２、間欠受信期間情報記憶部１０３、周波数情報記憶部１０４、測定部１０５、接続制御部１０６、ＰＧ判定部１０７、ＨＯ制御部１０８およびスキャン処理部１０９を有する。また、通信端末１００は、無線制御部１０１に接続するアンテナを有する。
【００２４】
無線制御部１０１は、通信端末１００と基地局１０ａ〜１０ｃとの間の無線通信を制御する。無線制御部１０１は、ＨＯ元基地局１０ａとの接続中に、ＨＯ元基地局１０ａを識別する識別情報であるＢＳ−ＩＤ（Base  Station-Identifier）をＨＯ元基地局１０ａに割り当て、割り当てたＢＳ−ＩＤを後述の基地局情報記憶部１０２に登録する。
【００２５】
また、無線制御部１０１は、ＨＯ元基地局１０ａから間欠受信指示（DREG-CMD）を受信すると、間欠受信指示に含まれるＰＧ−ＩＤ、間欠受信期間の周期、間欠受信期間のオフセットおよび間欠受信期間を抽出する。無線制御部１０１は、ＰＧ−ＩＤをＨＯ元基地局１０ａのＢＳ−ＩＤに対応付けて後述の基地局情報記憶部１０２に登録する。無線制御部１０１は、ＰＧ−ＩＤ、間欠受信期間の周期、間欠受信期間のオフセットおよび間欠受信期間を対応付けて後述の間欠受信期間情報記憶部１０３に登録する。そして、無線制御部１０１は、ＨＯ元基地局１０ａからＰ信号を間欠的に受信する間欠受信を開始する。すなわち、無線制御部１０１は、間欠受信期間情報記憶部１０３に記憶された間欠受信期間においてアウェイク状態となり、ＨＯ元基地局１０ａからＰ信号を受信し、受信したＰ信号を測定部１０５に出力する。一方で、無線制御部１０１は、間欠受信期間情報記憶部１０３に記憶された間欠受信期間以外の期間においてスリープ状態となり、ＨＯ元基地局１０ａからの信号の受信を停止する。
【００２６】
また、無線制御部１０１は、基地局１０ａ〜１０ｃのいずれかから送信された各種信号をアンテナを介して受信し、受信信号にダウンコンバート、Ａ／Ｄ変換、復調等の受信処理を施し、受信処理後の信号を測定部１０５および接続制御部１０６に出力する。
【００２７】
また、無線制御部１０１は、接続制御部１０６によって設定される周波数に現在の周波数を切り替える。無線制御部１０１は、周波数の切り替え後に基地局１０ａ〜１０ｃのいずれかから送信された各種信号をアンテナを介して受信し、受信信号に受信処理（ダウンコンバート、Ａ／Ｄ変換、復調等の）を施し、受信処理後の信号を接続制御部１０６に出力する。
【００２８】
また、無線制御部１０１は、ＨＯ制御部１０８によって選定されたＨＯ先基地局の情報を受け取り、ＨＯ元基地局１０ａからＨＯ先基地局へのハンドオーバを行う。
【００２９】
基地局情報記憶部１０２は、ＨＯ元基地局１０ａおよび隣接基地局に関する情報を基地局情報として記憶する。基地局情報記憶部１０２は、メモリやハードディスクなどの記憶装置である。図４は、基地局情報記憶部の一例を示す図である。図４に示すように、基地局情報記憶部１０２は、ＢＳ−ＩＤ、ＰＧ−ＩＧおよびＣＩＮＲを対応付けて記憶する。ＢＳ−ＩＤは、ＨＯ元基地局１０ａまたは隣接基地局を識別する識別情報である。ＰＧ−ＩＤは、ＢＳ−ＩＤで識別される基地局が属するＰＧを識別する識別情報である。ＣＩＮＲ（Carrier  to  Interference  and  Noise  Ratio）は、ＢＳ−ＩＤで識別される基地局の電波の受信品質を示す値であり、値が大きいほど電波の受信品質が良好であることを示す。
【００３０】
例えば、図４の１行目は、ＢＳ−ＩＤ「１０ａ」のＨＯ元基地局１０ａがＰＧ−ＩＤ「ＰＧ＃１」のＰＧに属しており、そのＣＩＮＲが「５ｄＢｍ」であることを示す。図４の２行目は、隣接基地局であるＢＳ−ＩＤ「１０ｂ」の基地局１０ｂがＨＯ元基地局１０ａと同一のＰＧ−ＩＤ「ＰＧ＃１」のＰＧに属しており、そのＣＩＮＲが「１５ｄＢｍ」であることを示す。なお、図４の３行目では、隣接基地局であるＢＳ−ＩＤ「１０ｃ」の基地局１０ｃがＨＯ元基地局１０ａと異なるＰＧに属しているため、ＰＧ−ＩＤの欄が空欄「−」となっている。
【００３１】
間欠受信期間情報記憶部１０３は、通信端末１００がＨＯ元基地局１０ａからＰ信号を間欠的に受信する間欠受信期間に関する情報を間欠受信期間情報として記憶する。間欠受信期間情報記憶部１０３は、メモリやハードディスクなどの記憶装置である。図５は、間欠受信期間情報記憶部の一例を示す図である。図５に示すように、間欠受信期間情報記憶部１０３は、ＰＧ−ＩＤ、周期、オフセットおよび間欠受信期間を対応付けて記憶する。ＰＧ−ＩＤは、ＨＯ元基地局１０ａが属するＰＧを識別する識別情報である。周期は、間欠受信期間の周期、換言すれば、間欠受信期間が周期的に繰り返される期間に相当するフレーム数である。オフセットは、間欠受信期間のオフセット、換言すれば、フレーム番号「０」のフレームから間欠受信期間の最初のフレームまでの期間に相当するフレーム数である。間欠受信期間は、通信端末１００がＨＯ元基地局１０ａからＰ信号を間欠的に受信する間欠受信期間、換言すれば、間欠受信期間に相当するフレーム数である。
【００３２】
図５に示す例では、「ＰＧ−ＩＤ」が「ＰＧ＃１」であり、「周期」が「２００」フレームであり、「オフセット」が「６４」フレームであり、「間欠受信期間」が「５」フレームである。
【００３３】
図５に示した間欠受信期間情報を用いた間欠受信動作の一例を図６に示す。図６は、間欠受信動作の一例を示す図である。通信端末１００は、図６に示すように、間欠受信期間情報記憶部１０３に記憶された間欠受信期間においてアウェイク状態となり、ＨＯ元基地局１０ａから各種信号を受信し、間欠受信期間以外の期間においてスリープ状態となり、信号の受信を停止する。すなわち、通信端末１００は、図５に示した間欠受信期間情報を参照し、フレーム番号「０」のフレームから「６４」フレーム後のフレーム番号「６４」のフレームの時点で最初の間欠受信期間が到来した場合に、スリープ状態からアウェイク状態となる。そして、通信端末１００は、「５」フレーム分の間欠受信期間において、ＰＧ−ＩＤ「＃１」のＰＧに属するＨＯ元基地局１０ａからＰ信号を受信する。そして、通信端末１００は、フレーム番号「６４」のフレームの時点からフレーム番号「６９」のフレームの時点までの５フレーム分の間欠受信期間が終了すると、アウェイク状態からスリープ状態となる。５フレーム分の間欠受信期間は、「２００」フレーム毎に繰り返される。
【００３４】
周波数情報記憶部１０４は、通信端末１００と基地局１０ａ〜１０ｃのいずれかとの間の無線通信に用いられる周波数に関する情報を周波数情報として記憶する。周波数情報記憶部１０４は、メモリやハードディスクなどの記憶装置である。図７は、周波数情報記憶部の一例を示す図である。図７に示すように、周波数情報記憶部１０４は、周波数ＩＤおよび周波数値を対応付けて記憶する。周波数ＩＤは、基地局１０ａ〜１０ｃのいずれかに割り当てられた周波数を識別する識別情報である。「ＦＡ１」は、基地局１０ａに割り当てられた周波数を識別する識別情報であり、「ＦＡ２」は、基地局１０ｂに割り当てられた周波数を識別する識別情報であり、「ＦＡ３」は、基地局１０ｃに割り当てられた周波数を識別する識別情報である。周波数値は、基地局１０ａ〜１０ｃのいずれかに割り当てられた周波数の値である。
【００３５】
例えば、図７の１行目は、通信端末１００と基地局１０ａとの間の無線通信に用いられる周波数が「２．５０」ＧＨｚであることを示す。図７の２行目は、通信端末１００と基地局１０ｂとの間の無線通信に用いられる周波数が「２．５１」ＧＨｚであることを示す。図７の３行目は、通信端末１００と基地局１０ｃとの間の無線通信に用いられる周波数が「２．５２」ＧＨｚであることを示す。
【００３６】
図３の説明に戻る。測定部１０５は、ＨＯ元基地局１０ａから受信したＰ信号を無線制御部１０１から受け取る。測定部１０５は、受信したＰ信号を基にして、ＨＯ元基地局１０ａの電波の受信品質を示す値であるＣＩＮＲを測定する。測定部１０５は、測定したＨＯ元基地局１０ａのＣＩＮＲをＨＯ元基地局１０ａのＢＳ−ＩＤに対応付けて基地局情報記憶部１０２に登録する。
【００３７】
接続制御部１０６は、基地局情報記憶部１０２を参照し、ＨＯ元基地局１０ａのＣＩＮＲが予め定められた閾値αよりも低いか否かを判定する。一方で、接続制御部１０６は、基地局情報記憶部１０２を参照し、ＨＯ元基地局１０ａに隣接する基地局１０ｂおよび基地局１０ｃ各々のＰＧ−ＩＤをＨＯ元基地局１０ａから受信しているか否かを判定する。換言すれば、接続制御部１０６は、隣接基地局である基地局１０ｂおよび基地局１０ｃ各々のＰＧ−ＩＤが基地局情報記憶部１０２に登録されているか否かを判定する。そして、接続制御部１０６は、ＨＯ元基地局１０ａのＣＩＮＲが閾値αよりも低く、かつ、隣接基地局である基地局１０ｂおよび基地局１０ｃ各々のＰＧ−ＩＤをＨＯ元基地局１０ａから受信していない場合に、間欠受信期間情報記憶部１０３を参照する。そして、接続制御部１０６は、間欠受信期間情報記憶部１０３に記憶された間欠受信期間において各隣接基地局に順次接続する。
【００３８】
具体的には、接続制御部１０６は、間欠受信期間が到来すると、通信端末１００と基地局１０ｂとの間の無線通信に用いられる周波数を周波数情報記憶部１０４から取得する。そして、接続制御部１０６は、周波数情報記憶部１０４から取得した周波数を無線制御部１０１に対して設定することにより、隣接基地局である基地局１０ｂに接続する。そして、接続制御部１０６は、間欠受信期間が再び到来すると、通信端末１００と基地局１０ｃとの間の無線通信に用いられる周波数を周波数情報記憶部１０４から取得する。そして、接続制御部１０６は、周波数情報記憶部１０４から取得した周波数を無線制御部１０１に対して設定することにより、隣接基地局である基地局１０ｃに接続する。
【００３９】
また、接続制御部１０６は、接続された基地局１０ｂ、１０ｃのいずれかから受信された信号を無線制御部１０１から受け取る。接続制御部１０６は、基地局１０ｂ、１０ｃのいずれかから受信された信号をＰＧ判定部１０７に出力する。
【００４０】
ＰＧ判定部１０７は、隣接基地局である基地局１０ｂ、１０ｃのいずれかから受信された信号を接続制御部１０６から受け取る。ＰＧ判定部１０７は、隣接基地局である基地局１０ｂ、１０ｃのいずれかから受信された信号にＰ信号が含まれるか否か、すなわち、接続制御部１０６によって接続された隣接基地局からＰ信号を受信したか否かを判定する。ＰＧ判定部１０７は、接続された隣接基地局からＰ信号を受信できなかった場合には、接続された隣接基地局がＨＯ元基地局１０ａと異なるＰＧに属すると判定し、隣接基地局のＢＳ−ＩＤのみを基地局情報記憶部１０２に登録する。図１に示す例では、隣接基地局である基地局１０ｃは、ＨＯ元基地局１０ａと異なるＰＧに属する。このため、ＰＧ判定部１０７は、接続された基地局１０ｃからＰ信号を受信できず、隣接基地局のＢＳ−ＩＤのみを基地局情報記憶部１０２に登録する。
【００４１】
一方で、ＰＧ判定部１０７は、接続された隣接基地局からＰ信号を受信できた場合には、さらに、受信したＰ信号に含まれるＰＧ−ＩＤを用いて、隣接基地局がＨＯ元基地局１０ａと同一のＰＧに属するか否かを判定する。具体的には、ＰＧ判定部１０７は、ＨＯ元基地局１０ａのＢＳ−ＩＤに対応付けられたＰＧ−ＩＧを基地局情報記憶部１０２から読み出す。そして、ＰＧ判定部１０７は、読み出したＰＧ−ＩＤと受信したＰ信号に含まれるＰＧ−ＩＤとを比較する。そして、ＰＧ判定部１０７は、読み出したＰＧ−ＩＤとＰ信号に含まれるＰＧ−ＩＤとが一致する場合には、隣接基地局がＨＯ元基地局１０ａと同一のＰＧに属すると判定し、Ｐ信号に含まれるＰＧ−ＩＤを隣接基地局のＢＳ−ＩＤと対応付けて基地局情報記憶部１０２に登録する。一方で、ＰＧ判定部１０７は、読み出したＰＧ−ＩＤとＰ信号に含まれるＰＧ−ＩＤとが一致しない場合に、隣接基地局がＨＯ元基地局１０ａと異なるＰＧに属すると判定し、隣接基地局のＢＳ−ＩＤのみを基地局情報記憶部１０２に登録する。図１に示す例では、隣接基地局である基地局１０ｂは、ＨＯ元基地局１０ａと同一のＰＧに属する。このため、ＰＧ判定部１０７は、接続された基地局１０ｂからＰ信号を受信することができ、さらに、基地局情報記憶部１０２から読み出したＨＯ元基地局１０ａのＰＧ−ＩＤと受信したＰ信号に含まれるＰＧ−ＩＤとが一致する。したがって、ＰＧ判定部１０７は、Ｐ信号に含まれるＰＧ−ＩＤを隣接基地局である基地局１０ｂのＢＳ−ＩＤと対応付けて基地局情報記憶部１０２に登録する。
【００４２】
ＨＯ制御部１０８は、ＨＯ元基地局１０ａからＨＯ先基地局へのハンドオーバを制御する。ＨＯ制御部１０８は、基地局情報記憶部１０２を参照し、ＨＯ元基地局１０ａのＣＩＮＲが予め定められた閾値γよりも低いか否かを判定する。ＨＯ制御部１０８は、ＨＯ元基地局１０ａのＣＩＮＲが閾値γよりも低い場合に、ハンドオーバを行うと決定する。ＨＯ制御部１０８は、ハンドオーバを行うと決定すると、複数の隣接基地局のうちＰＧ判定部１０７によってＨＯ元基地局１０ａと同一のＰＧに属すると判定された隣接基地局をＨＯ先基地局として優先的に選定する。
【００４３】
ＨＯ制御部１０８がＨＯ元基地局１０ａと同一のＰＧに属すると判定された隣接基地局をＨＯ先基地局として優先的に選定する処理の一例について説明する。ＨＯ制御部１０８は、ＨＯ元基地局１０ａのＣＩＮＲが閾値γよりも低い場合に、基地局情報記憶部１０２を参照し、複数の隣接基地局の中にＨＯ元基地局１０ａと同一のＰＧに属する隣接基地局が存在するか否かを判定する。換言すれば、ＨＯ制御部１０８は、基地局情報記憶部１０２を参照し、ＨＯ元基地局１０ａのＰＧ−ＩＤと一致するＰＧ−ＩＤを持つ隣接基地局が存在するか否かを判定する。ＨＯ制御部１０８は、ＨＯ元基地局１０ａと同一のＰＧに属する隣接基地局、すなわち、ＨＯ元基地局１０ａのＰＧ−ＩＤと一致するＰＧ−ＩＤを持つ隣接基地局が存在する場合には、その隣接基地局をＨＯ先基地局として選定する。一方で、ＨＯ制御部１０８は、ＨＯ元基地局１０ａと同一のＰＧに属する隣接基地局、すなわち、ＨＯ元基地局１０ａのＰＧ−ＩＤと一致するＰＧ−ＩＤを持つ隣接基地局が存在しない場合には、ＣＩＮＲが所定値よりも大きい隣接基地局をＨＯ先基地局に選定する。例えば、ＨＯ制御部１０８は、ＨＯ元基地局１０ａのＣＩＮＲが閾値γよりも低い場合に、図４に示した基地局情報記憶部１０２を参照したものとする。すると、ＨＯ元基地局１０ａのＰＧ−ＩＤ「ＰＧ＃１」と一致するＰＧ−ＩＤを持つ隣接基地局として基地局１０ｂが存在するので、ＨＯ制御部１０８は、基地局１０ｃに優先して基地局１０ｂをＨＯ先基地局として選定する。
【００４４】
また、ＨＯ制御部１０８は、選定したＨＯ先基地局の情報を無線制御部１０１に出力する。
【００４５】
スキャン処理部１０９は、各隣接基地局のＣＩＮＲを測定する。具体的には、スキャン処理部１０９は、基地局情報記憶部１０２を参照し、ＨＯ元基地局１０ａのＣＩＮＲが予め定めた閾値βよりも低いか否かを判定する。そして、スキャン処理部１０９は、ＨＯ元基地局１０ａのＣＩＮＲが閾値βよりも低い場合に、通信端末１００と隣接基地局との間の無線通信に用いられる周波数を周波数情報記憶部１０４から取得する。そして、スキャン処理部１０９は、周波数情報記憶部１０４から取得した周波数を無線制御部１０１に対して設定することにより、間欠受信期間において隣接基地局に接続し、接続した隣接基地局のＣＩＮＲを測定する。そして、スキャン処理部１０９は、測定した隣接基地局のＣＩＮＲを隣接基地局のＢＳ−ＩＤに対応付けて基地局情報記憶部１０２に登録する。
【００４６】
次に、図８を用いて、実施例１に係る通信端末１００による処理手順を説明する。図８は、実施例１に係る通信端末による処理手順を示すフローチャートである。図８に示す処理は、ＨＯ元基地局１０ａから間欠受信指示（DREG-CMD）を受信したことを契機にして実行される。
【００４７】
図８に示すように、通信端末１００は、ＨＯ元基地局１０ａから間欠受信指示（DREG-CMD）を受信していない場合には（ステップＳ１０１；Ｎｏ）、処理をステップＳ１０１に戻す。一方、通信端末１００は、ＨＯ元基地局１０ａから間欠受信指示（DREG-CMD）を受信した場合には（ステップＳ１０１；Ｙｅｓ）、ＨＯ元基地局１０ａからＰ信号を間欠的に受信する間欠受信を開始する（ステップＳ１０２）。このとき、通信端末１００は、間欠受信指示（DREG-CMD）に含まれる間欠受信期間を間欠受信期間情報記憶部１０３に登録する。
【００４８】
通信端末１００は、間欠受信期間情報記憶部１０３に記憶された間欠受信期間が到来していない場合には（ステップＳ１０３；Ｎｏ）、スリープ状態となり、処理をステップＳ１０３に戻す。一方、通信端末１００は、間欠受信期間が到来した場合には（ステップＳ１０３；Ｙｅｓ）、アウェイク状態となり、ＰＧ判定部１０７による判定処理の実施の要否を示すＰＧ判定実施フラグに「Ｔｒｕｅ（実施要）」が設定されているか否かを判定する（ステップＳ１０４）。
【００４９】
通信端末１００は、ＰＧ判定実施フラグに「Ｆａｌｓｅ（実施不要）」が設定されている場合には（ステップＳ１０４；Ｎｏ）、ＨＯ元基地局１０ａに接続する（ステップＳ１０５）。通信端末１００は、ＨＯ元基地局１０ａからＰ信号を受信し（ステップＳ１０６）、受信したＰ信号を基にしてＨＯ元基地局１０ａのＣＩＮＲを測定する（ステップＳ１０７）。通信端末１００は、測定したＨＯ元基地局１０ａのＣＩＮＲをＨＯ元基地局１０ａのＢＳ−ＩＤに対応付けて基地局情報記憶部１０２に登録する。
【００５０】
通信端末１００は、ＨＯ元基地局１０ａのＣＩＮＲが閾値αよりも低いか否かを判定する（ステップＳ１０８）。通信端末１００は、ＨＯ元基地局１０ａのＣＩＮＲが閾値α以上である場合には（ステップＳ１０８；Ｎｏ）、スリープ状態となり、処理をステップＳ１０３に戻す。
【００５１】
一方、通信端末１００は、ＨＯ元基地局１０ａのＣＩＮＲが閾値αよりも低い場合には（ステップＳ１０８；Ｙｅｓ）、ＨＯ元基地局１０ａのＣＩＮＲが閾値β（＜α）よりも低いか否かを判定する（ステップＳ１０９）。通信端末１００は、ＨＯ元基地局１０ａのＣＩＮＲが閾値β以上である場合には（ステップＳ１０９；Ｎｏ）、基地局情報記憶部１０２を参照し、隣接基地局各々のＰＧ−ＩＤをＨＯ元基地局１０ａから受信済みであるか否かを判定する（ステップＳ１１０）。通信端末１００は、隣接基地局各々のＰＧ−ＩＤをＨＯ元基地局１０ａから受信済みである場合には（ステップＳ１１０；Ｙｅｓ）、スリープ状態となり、処理をステップＳ１０３に戻す。
【００５２】
一方、通信端末１００は、隣接基地局各々のＰＧ−ＩＤをＨＯ元基地局１０ａから受信済みでない場合には（ステップＳ１１０；Ｎｏ）、ＰＧ判定実施フラグに「Ｔｒｕｅ（実施要）」を設定し（ステップＳ１１１）、処理をステップＳ１０３に戻す。つまり、通信端末１００は、ＨＯ元基地局１０ａのＣＩＮＲが閾値αよりも低く、かつ、隣接基地局各々のＰＧ−ＩＤをＨＯ元基地局１０ａから受信していない場合に、間欠受信期間において各隣接基地局に順次接続する処理（ステップＳ１１２〜Ｓ１２１）に移行する。
【００５３】
そして、通信端末１００は、ＰＧ判定実施フラグに「Ｔｒｕｅ（実施要）」が設定されている場合には（ステップＳ１０４；Ｙｅｓ）、隣接基地局である基地局１０ｂ、１０ｃのいずれかに接続する（ステップＳ１１２）。通信端末１００は、接続された隣接基地局から各種信号を受信する（ステップＳ１１３）。
【００５４】
通信端末１００は、間欠受信期間が終了していない場合には（ステップＳ１１４；Ｎｏ）、処理をステップＳ１１３に戻す。一方、通信端末１００は、間欠受信期間が終了した場合には（ステップＳ１１４；Ｙｅｓ）、接続された隣接基地局からＰ信号を受信できたか否かを判定する（ステップＳ１１５）。通信端末１００は、接続された隣接基地局からＰ信号を受信できた場合には（ステップＳ１１５；Ｙｅｓ）、受信したＰ信号に含まれるＰＧ−ＩＤを用いて、隣接基地局がＨＯ元基地局１０ａと同一のＰＧに属するか否かを判定する（ステップＳ１１６）。通信端末１００は、隣接基地局がＨＯ元基地局１０ａと同一のＰＧに属する場合には（ステップＳ１１６；Ｙｅｓ）、Ｐ信号に含まれる隣接基地局のＰＧ−ＩＤを隣接基地局のＢＳ−ＩＤと対応付けて基地局情報記憶部１０２に登録する（ステップＳ１１７）。
【００５５】
一方、通信端末１００は、接続された隣接基地局からＰ信号を受信できなかった場合（ステップＳ１１５；Ｎｏ）、並びに、隣接基地局がＨＯ元基地局１０ａと異なるＰＧに属する場合には（ステップＳ１１６；Ｎｏ）、以下の処理を行う。すなわち、通信端末１００は、隣接基地局のＰＧ−ＩＤの登録を行うことなく、隣接基地局のＢＳ−ＩＤのみを基地局情報記憶部１０２に登録する（ステップＳ１１８）。
【００５６】
通信端末１００は、全隣接基地局への接続を済ませた場合には（ステップＳ１１９；Ｙｅｓ）、ＰＧ判定実施フラグに「Ｆａｌｓｅ（実施不要）」を設定し（ステップＳ１２０）、処理をステップＳ１２１に移行する。一方、通信端末１００は、全隣接基地局への接続を済ませていない場合には（ステップＳ１１９；Ｎｏ）、処理をステップＳ１２１に移行する。その後、通信端末１００は、ＨＯ元基地局１０ａに接続し、スリープ状態となり、処理をステップＳ１０３に戻す。つまり、通信端末１００は、全隣接基地局への接続を済ませるまで、間欠受信期間において各隣接基地局に順次接続する。
【００５７】
また、通信端末１００は、ＨＯ元基地局１０ａのＣＩＮＲが閾値βよりも低い場合には（ステップＳ１０９；Ｙｅｓ）、ＨＯ元基地局１０ａのＣＩＮＲが閾値γ（＜β）よりも低いか否かを判定する（ステップＳ１２２）。通信端末１００は、ＨＯ元基地局１０ａのＣＩＮＲが閾値γ以上である場合には（ステップＳ１２２；Ｎｏ）、隣接基地局のＣＩＮＲを測定し（ステップＳ１２３）、スリープ状態となり、処理をステップＳ１０３に戻す。
【００５８】
一方、通信端末１００は、ＨＯ元基地局１０ａのＣＩＮＲが閾値γよりも低い場合には（ステップＳ１２２；Ｙｅｓ）、ハンドオーバを行うと決定し、以下の処理を行う。すなわち、通信端末１００は、基地局情報記憶部１０２を参照し、複数の隣接基地局の中にＨＯ元基地局１０ａと同一のＰＧに属する隣接基地局が存在するか否かを判定する（ステップＳ１２４）。通信端末１００は、複数の隣接基地局の中にＨＯ元基地局１０ａと同一のＰＧに属する隣接基地局が存在する場合には（ステップＳ１２４；Ｙｅｓ）、該隣接基地局をＨＯ先基地局として選定する（ステップＳ１２５）。一方、通信端末１００は、複数の隣接基地局の中にＨＯ元基地局１０ａと同一のＰＧに属する隣接基地局が存在しない場合には（ステップＳ１２４；Ｎｏ）、ＣＩＮＲが所定値よりも大きい隣接基地局をＨＯ先基地局として選定する（ステップＳ１２６）。
【００５９】
通信端末１００は、ＨＯ元基地局１０ａから選定されたＨＯ先基地局へのハンドオーバを実行する（ステップＳ１２７）。
【００６０】
上述したように、本実施例によれば、通信端末１００の間欠受信期間情報記憶部１０３は、複数の基地局で形成されるＰＧを識別するＰＧ−ＩＤを含むＰ信号をＨＯ元基地局１０ａから間欠的に受信する間欠受信期間を記憶する。そして、接続制御部１０６は、ＨＯ元基地局１０ａのＣＩＮＲが閾値よりも低く、かつ、ＨＯ元基地局１０ａに隣接する複数の隣接基地局各々のＰＧ−ＩＤをＨＯ元基地局１０ａから受信していない場合に、間欠受信期間において各隣接基地局に順次接続する。そして、ＰＧ判定部１０７は、接続された隣接基地局からＰ信号を受信したか否か、並びに、受信したＰ信号に含まれるＰＧ−ＩＤを用いて、隣接基地局がＨＯ元基地局１０ａと同一のＰＧに属するか否かを判定する。そして、ＨＯ制御部１０８は、ＨＯ元基地局１０ａからＨＯ先基地局へのハンドオーバを行う際に、複数の隣接基地局のうちＨＯ元基地局１０ａと同一のＰＧに属すると判定された隣接基地局をＨＯ先基地局として優先的に選定する。このため、本実施例によれば、通信端末１００は、ハンドオーバ後にＨＯ先基地局に対して位置更新処理が実行されることを不要化するとともに、通信端末１００がスリープ状態となる期間に行われるＰＧ−ＩＤの取得処理を省略することができる。結果として、本実施例の通信端末１００は、ハンドオーバに起因する電力の消費を適切に抑えることができる。
【実施例２】
【００６１】
上記実施例１では、間欠受信期間において各隣接基地局に順次接続し、接続された隣接基地局から受信したＰ信号に含まれるＰＧ−ＩＤを用いて、隣接基地局がＨＯ元基地局と同一のＰＧに属するか否かを判定する例について説明した。実施例２では、さらに、ＨＯ元基地局と同一のＰＧに属すると判定された隣接基地局から受信したＰ信号に通信端末宛ての動作指示が含まれるか否かを判定し、Ｐ信号に含まれると判定された動作指示に基づいて、所定の動作を行う例について説明する。
【００６２】
図９を用いて、実施例２に係る通信端末２００の構成について説明する。図９は、実施例２に係る通信端末の構成を示す機能ブロック図である。なお、図９では、図３と同様の機能を有するブロックに同一の符号を付し、同様の処理についてはその説明を省略する。図９に示すように、通信端末２００は、図３に示した各部に加えて、指示有無判定部２１０と、動作実行部２１１とを新たに有する。
【００６３】
ＰＧ判定部１０７は、隣接基地局がＨＯ元基地局１０ａと同一のＰＧに属すると判定した場合に、ＨＯ元基地局１０ａと同一のＰＧに属すると判定された隣接基地局から受信したＰ信号を指示有無判定部２１０に出力する。
【００６４】
指示有無判定部２１０は、ＨＯ元基地局１０ａと同一のＰＧに属すると判定された隣接基地局から受信したＰ信号をＰＧ判定部１０７から受け取る。指示有無判定部２１０は、ＨＯ元基地局１０ａと同一のＰＧに属すると判定された隣接基地局から受信したＰ信号に、ＰＧ−ＩＤに加えて通信端末２００宛ての動作指示が含まれるか否かを判定する。
【００６５】
ここで、指示有無判定部２１０がＰ信号に通信端末２００宛ての動作指示が含まれるか否かを判定する処理の一例について説明する。指示有無判定部２１０は、ＨＯ元基地局１０ａと同一のＰＧに属すると判定された隣接基地局から受信したＰ信号からハッシュ値（MS  MAC  Address  Hash）を抽出する。そして、指示有無判定部２１０は、通信端末２００のＭＡＣ（Media  Access  Control）アドレスを以下の式（１）に入力し、得られたｇ（Ｘ）の下位２４ビットの値を取得する。
【００６６】
ｇ（Ｘ）＝Ｘ２４＋Ｘ２３＋Ｘ１８＋Ｘ１７＋Ｘ１４＋Ｘ１１＋Ｘ１０＋Ｘ７＋Ｘ６＋Ｘ５＋Ｘ４＋Ｘ３＋Ｘ＋１        ・・・（１）
ただし、Ｘ：ＭＡＣアドレス
【００６７】
そして、指示有無判定部２１０は、ハッシュ値と、ｇ（Ｘ）の下位２４ビットの値とが一致するか否かを判定し、一致した場合に、通信端末２００宛ての動作指示がＰ信号に含まれると判定する。
【００６８】
また、指示有無判定部２１０は、Ｐ信号に含まれると判定された通信端末２００宛ての動作指示、すなわち、Ｐ信号においてハッシュ値に連続する動作指示（Action  Code）を動作実行部２１１に出力する。
【００６９】
動作実行部２１１は、動作指示（Action  Code）を指示有無判定部２１０から受け取る。動作実行部２１１は、動作指示（Action  Code）に基づいて、所定の動作を行う。
【００７０】
図１０は、動作指示（Action  Code）の内容の一例を示す図である。図１０に示すように、動作実行部２１１は、動作指示（Action  Code）が「０ｂ００」である場合には、隣接基地局に対して何らアクションを起こさず、間欠受信を維持する動作を行う。また、動作実行部２１１は、動作指示（Action  Code）が「０ｂ０１」である場合には、隣接基地局に対してレンジング処理を行う。また、動作実行部２１１は、動作指示（Action  Code）が「０ｂ１０」である場合には、間欠受信を一時停止し、隣接基地局に対してメールデータ等の下りデータの確認処理を行う。
【００７１】
次に、図１１を用いて、実施例２に係る通信端末２００による処理手順を説明する。図１１は、実施例２に係る通信端末による処理手順を示すフローチャートである。図１１に示す処理は、ＨＯ元基地局１０ａから間欠受信指示（DREG-CMD）を受信したことを契機にして実行される。また、図１１において、ステップＳ２０１〜Ｓ２１８、Ｓ２２１〜Ｓ２２９は、それぞれ図８に示したステップＳ１０１〜Ｓ１１８、Ｓ１１９〜Ｓ１２７に対応するので、ここではその詳細な説明を省略する。
【００７２】
図１１に示すように、通信端末２００は、隣接基地局がＨＯ元基地局１０ａと同一のＰＧに属する場合には（ステップＳ２１６；Ｙｅｓ）、以下の処理を行う。すなわち、通信端末２００は、ＨＯ元基地局１０ａと同一のＰＧに属すると判定された隣接基地局から受信したＰ信号に、通信端末２００宛ての動作指示が含まれるか否かを判定する（ステップＳ２１９）。通信端末２００は、通信端末２００宛ての動作指示がＰ信号に含まれる場合には（ステップＳ２１９；Ｙｅｓ）、Ｐ信号に含まれる動作指示に基づいて、所定の動作を実行し（ステップＳ２２０）、処理をステップＳ２２１に進める。一方、通信端末２００は、通信端末２００宛ての動作指示がＰ信号に含まれない場合には（ステップＳ２１９；Ｎｏ）、処理をステップＳ２２１に進める。
【００７３】
上述したように、本実施例によれば、通信端末２００の指示有無判定部２１０は、ＨＯ元基地局１０ａと同一のＰＧに属すると判定された隣接基地局から受信したＰ信号に、ＰＧ−ＩＤに加えて通信端末２００宛ての動作指示が含まれるか否かを判定する。動作実行部２１１は、Ｐ信号に含まれると判定された動作指示に基づいて、所定の動作を行う。このため、本実施例によれば、通信端末２００は、隣接基地局から下りデータを受け取るための準備動作をハンドオーバ前に適切に行うことができ、ハンドオーバ後に実行される動作を削減することができる。結果として、本実施例の通信端末２００は、ハンドオーバに起因する電力の消費を一層抑えることができる。
【実施例３】
【００７４】
上記実施例１では、間欠受信期間において各隣接基地局に順次接続し、ＰＧ判定部１０７による判定処理が実行される時点では、各隣接基地局のＣＩＮＲが測定されていない例について説明した。実施例３では、ＰＧ判定部１０７による判定処理が実行される前に、各隣接基地局のＣＩＮＲを測定し、間欠受信期間においてＣＩＮＲが良い順序で各隣接基地局に順次接続する例について説明する。
【００７５】
図１２を用いて、実施例３に係る通信端末３００の構成について説明する。図１２は、実施例３に係る通信端末の構成を示す機能ブロック図である。なお、図１２では、図３と同様の機能を有するブロックに同一の符号を付し、同様の処理についてはその説明を省略する。図１２に示すように、通信端末３００は、図３に示したスキャン処理部１０９に代えて、スキャン処理部３０９を有する。また、通信端末３００は、図３に示した接続制御部１０６に代えて、接続制御部３０６を有する。
【００７６】
スキャン処理部３０９は、ＰＧ判定部１０７による判定処理が実行される前に、各隣接基地局のＣＩＮＲを測定する。具体的には、スキャン処理部３０９は、基地局情報記憶部１０２を参照し、ＨＯ元基地局１０ａのＣＩＮＲが予め定めた閾値βよりも低いか否かを判定する。本実施例では、閾値βは、間欠受信期間において各隣接基地局に順次接続する際に接続制御部３０６が利用する閾値αよりも大きいものとする。そして、スキャン処理部３０９は、ＨＯ元基地局１０ａのＣＩＮＲが閾値βよりも低い場合に、通信端末３００と隣接基地局との間の無線通信に用いられる周波数を周波数情報記憶部１０４から取得する。そして、スキャン処理部３０９は、周波数情報記憶部１０４から取得した周波数を無線制御部１０１に対して設定することにより、間欠受信期間において隣接基地局に接続し、接続した隣接基地局のＣＩＮＲを測定する。そして、スキャン処理部３０９は、測定した隣接基地局のＣＩＮＲを隣接基地局のＢＳ−ＩＤに対応付けて基地局情報記憶部１０２に登録する。
【００７７】
接続制御部３０６は、図３に示した接続制御部１０６に対応する処理を行う。接続制御部３０６は、以下の処理を行う点で接続制御部１０６と異なる。すなわち、接続制御部３０６は、スキャン処理部３０９によって測定されたＣＩＮＲが最も良い隣接基地局からＣＩＮＲが最も悪い隣接基地局へ向かう順序（以下「ＣＩＮＲ順」という）で、間欠受信期間において各隣接基地局に順次接続する。また、接続制御部３０６は、複数の隣接基地局のうちＰＧ判定部１０７によってＨＯ元基地局１０ａと同一のＰＧに属すると判定された隣接基地局以外の他の隣接基地局への接続を中止する。
【００７８】
具体的には、接続制御部３０６は、間欠受信期間が到来すると、基地局情報記憶部１０２を参照し、ＣＩＮＲが最も良い隣接基地局を探索する。本実施例では、接続制御部３０６は、図４に示した基地局情報記憶部１０２を参照し、ＣＩＮＲが最も良い隣接基地局である基地局１０ｂを探索したものとする。そして、接続制御部３０６は、通信端末３００と探索したＣＩＮＲが最も良い基地局１０ｂとの間の無線通信に用いられる周波数を周波数情報記憶部１０４から取得する。そして、接続制御部３０６は、周波数情報記憶部１０４から取得した周波数を無線制御部１０１に対して設定することにより、ＣＩＮＲが最も良い基地局１０ｂに接続する。また、接続制御部３０６は、複数の隣接基地局のうちＰＧ判定部１０７によってＨＯ元基地局１０ａと同一のＰＧに属すると判定された隣接基地局である基地局１０ｂ以外の他の隣接基地局への接続を中止する。
【００７９】
次に、図１３を用いて、実施例３に係る通信端末３００による処理手順を説明する。図１３は、実施例３に係る通信端末による処理手順を示すフローチャートである。図１３に示す処理は、ＨＯ元基地局１０ａから間欠受信指示（DREG-CMD）を受信したことを契機にして実行される。また、図１３において、ステップＳ３０１〜Ｓ３０７、Ｓ３１５〜Ｓ３１８、Ｓ３２３、Ｓ３２４〜Ｓ３２７は、それぞれ図８に示したステップＳ１０１〜１０７、Ｓ１１３〜Ｓ１１６、Ｓ１２１、Ｓ１２４〜Ｓ１２７に対応するので、ここではその詳細な説明を省略する。
【００８０】
図１３に示すように、通信端末３００は、ＨＯ元基地局１０ａのＣＩＮＲが閾値β（＞α）よりも低いか否かを判定する（ステップＳ３０８）。通信端末３００は、ＨＯ元基地局１０ａのＣＩＮＲが閾値β以上である場合には（ステップＳ３０８；Ｎｏ）、スリープ状態となり、処理をステップＳ３０３に戻す。
【００８１】
一方、通信端末３００は、ＨＯ元基地局１０ａのＣＩＮＲが閾値βよりも低い場合には（ステップＳ３０８；Ｙｅｓ）、ＨＯ元基地局１０ａのＣＩＮＲが閾値αよりも低いか否かを判定する（ステップＳ３０９）。通信端末３００は、ＨＯ元基地局１０ａのＣＩＮＲが閾値α以上である場合には（ステップＳ３０９；Ｎｏ）、隣接基地局のＣＩＮＲを測定し（ステップＳ３１０）、スリープ状態となり、処理をステップＳ３０３に戻す。つまり、通信端末３００は、ＰＧ判定部１０７による判定処理が実行される前に、各隣接基地局のＣＩＮＲを測定する。
【００８２】
一方、通信端末３００は、ＨＯ元基地局１０ａのＣＩＮＲが閾値αよりも低い場合には（ステップＳ３０９；Ｙｅｓ）、ＨＯ元基地局１０ａのＣＩＮＲが閾値γ（＜α）よりも低いか否かを判定する（ステップＳ３１１）。通信端末３００は、ＨＯ元基地局１０ａのＣＩＮＲが閾値γ以上である場合には（ステップＳ３１１；Ｎｏ）、基地局情報記憶部１０２を参照し、隣接基地局各々のＰＧ−ＩＤをＨＯ元基地局１０ａから受信済みであるか否かを判定する（ステップＳ３１２）。
【００８３】
通信端末３００は、隣接基地局各々のＰＧ−ＩＤをＨＯ元基地局１０ａから受信済みである場合には（ステップＳ３１２；Ｙｅｓ）、スリープ状態となり、処理をステップＳ３０３に戻す。一方、通信端末３００は、隣接基地局各々のＰＧ−ＩＤをＨＯ元基地局１０ａから受信済みでない場合には（ステップＳ３１２；Ｎｏ）、ＰＧ判定実施フラグに「Ｔｒｕｅ（実施要）」を設定し（ステップＳ３１３）、処理をステップＳ３０３に戻す。
【００８４】
そして、通信端末３００は、ＰＧ判定実施フラグに「Ｔｒｕｅ（実施要）」が設定されている場合には（ステップＳ３０４；Ｙｅｓ）、ＣＩＮＲ順で隣接基地局に接続する（ステップＳ３１４）。
【００８５】
また、通信端末３００は、隣接基地局がＨＯ元基地局１０ａと同一のＰＧに属する場合には（ステップＳ３１８；Ｙｅｓ）、Ｐ信号に含まれる隣接基地局のＰＧ−ＩＤを隣接基地局のＢＳ−ＩＤと対応付けて基地局情報記憶部１０２に登録する（ステップＳ３１９）。続いて、通信端末３００は、全隣接基地局への接続を済ませる前に、ＰＧ判定実施フラグに「Ｆａｌｓｅ（実施不要）」を設定し（ステップＳ３２０）、処理をステップＳ３２３へ進める。つまり、通信端末３００は、複数の隣接基地局のうちＨＯ元基地局１０ａと同一のＰＧに属すると判定された隣接基地局以外の他の隣接基地局への接続を中止する。
【００８６】
一方、通信端末３００は、隣接基地局がＨＯ元基地局１０ａと異なるＰＧに属する場合には（ステップＳ３１８；Ｎｏ）、隣接基地局のＰＧ−ＩＤの登録を行うことなく、隣接基地局のＢＳ−ＩＤのみを基地局情報記憶部１０２に登録する（ステップＳ３２１）。続いて、通信端末３００は、全隣接基地局への接続を済ませた場合には（ステップＳ３２２；Ｙｅｓ）、処理をステップＳ３２０へ進め、全隣接基地局への接続を済ませていない場合には（ステップＳ３２２；Ｎｏ）、処理をステップＳ３２３へ進める。
【００８７】
上述したように、本実施例によれば、通信端末３００のスキャン処理部３０９は、ＰＧ判定部１０７による判定処理が実行される前に、各隣接基地局のＣＩＮＲを測定する。接続制御部３０６は、ＣＩＮＲ順で、間欠受信期間において各隣接基地局に順次接続する。接続制御部３０６は、複数の隣接基地局のうちＰＧ判定部１０７によってＨＯ元基地局１０ａと同一のＰＧに属すると判定された隣接基地局以外の他の隣接基地局への接続を中止する。このため、ＨＯ元基地局１０ａと同一のＰＧに属すると判定された隣接基地局がＣＩＮＲが最も良い隣接基地局となるので、通信端末３００は、ＣＩＮＲが最も良い隣接基地局以外の他の隣接基地局への無駄な接続が行われることを防止することができる。結果として、本実施例の通信端末３００は、ハンドオーバに起因する電力の消費を一層抑えることができる。
【実施例４】
【００８８】
上記実施例１では、ＨＯ元基地局から受信した間欠受信指示（DREG-CMD）に含まれる間欠受信期間を間欠受信期間情報記憶部１０３に登録し、間欠受信期間において各隣接基地局に順次接続する例について説明した。しかしながら、ＨＯ元基地局が自通信端末に対してＰ信号を送信する送信期間と異なる他の送信期間に自通信端末と異なる他の通信端末に対してＰ信号を送信する場合には、自通信端末は、他の間欠受信期間として他の送信期間を取得することが可能である。実施例４では、間欠受信期間だけでなく他の間欠受信期間においても各隣接基地局に順次接続する例について説明する。
【００８９】
図１４を用いて、実施例４に係る通信端末４００の構成について説明する。図１４は、実施例４に係る通信端末の構成を示す機能ブロック図である。なお、図１４では、図３と同様の機能を有するブロックに同一の符号を付し、同様の処理についてはその説明を省略する。図１４に示すように、通信端末４００は、図３に示した接続制御部１０６に代えて、接続制御部４０６を有する。本実施例では、図１に示したＨＯ元基地局１０ａは、通信端末４００に対してＰ信号を送信する送信期間と異なる他の送信期間（以下「Ｐ信号の他の送信期間」という）に通信端末４００と異なる他の通信端末（不図示）に対してＰ信号を送信しているものとする。
【００９０】
接続制御部４０６は、無線制御部１０１によって間欠受信指示（DREG-CMD）が受信されるまでの期間に、ＨＯ元基地局１０ａから受信されるＰ信号を無線制御部１０１から受け取る。接続制御部４０６は、ＨＯ元基地局１０ａから受信されるＰ信号の受信履歴を保持する。接続制御部４０６によって保持されるＰ信号の受信履歴の一例を図１５に示す。図１５は、Ｐ信号の受信履歴の一例を示す図である。図１５に示すように、接続制御部４０６は、ＨＯ元基地局１０ａから受信されるＰ信号のフレーム番号をＰ信号の受信履歴として保持する。
【００９１】
接続制御部４０６は、自身の保持するＰ信号の受信履歴と、無線制御部１０１によって間欠受信期間情報記憶部１０３に登録された間欠受信期間とに基づいて、Ｐ信号の他の送信期間を間欠受信期間と異なる他の間欠受信期間として取得する。
【００９２】
ここで、接続制御部４０６が他の間欠受信期間を取得する処理の一例について説明する。図１６は、実施例４における接続制御部が他の間欠受信期間を取得する処理の一例について説明するための図である。図１６の説明では、間欠受信期間情報記憶部１０３に記憶された間欠受信期間が図５に示すものであるとする。図１６に示すように、接続制御部４０６は、Ｐ信号の受信履歴であるＰ信号のフレーム番号と、間欠受信期間情報記憶部１０３に記憶された間欠受信期間とに基づいて、Ｐ信号の他の送信期間を間欠受信期間と異なる他の間欠受信期間として取得する。例えば、接続制御部４０６は、Ｐ信号のフレーム番号「２６４」、「４６４」および「６６４」と、間欠受信期間情報記憶部１０３に記憶された間欠受信期間の周期「２００」およびオフセット「６４」とを比較する。そして、接続制御部４０６は、比較結果を用いて、他の間欠受信期間の周期「２００」およびオフセット「３２」を取得する。
【００９３】
また、接続制御部４０６は、取得した他の間欠受信期間を間欠受信期間とは別に間欠受信期間情報記憶部１０３に登録する。例えば、接続制御部４０６は、図１６の例で取得した他の間欠受信期間の周期「２００」およびオフセット「３２」を、図１７に示すように、間欠受信指示（DREG-CMD）の間欠受信期間の情報（１行目の情報）とは別に間欠受信期間情報記憶部１０３に登録する。図１７は、間欠受信期間情報記憶部に記憶された他の間欠受信期間の一例を示す図である。なお、図１７において、ＰＧ−ＩＤおよび間欠受信期間の情報は、他の間欠受信期間と間欠受信指示の間欠受信期間との間で共通であるものとする。
【００９４】
また、接続制御部４０６は、基地局情報記憶部１０２を参照し、ＨＯ元基地局１０ａのＣＩＮＲが予め定められた閾値αよりも低いか否かを判定する。一方で、接続制御部４０６は、基地局情報記憶部１０２を参照し、ＨＯ元基地局１０ａに隣接する基地局１０ｂおよび基地局１０ｃ各々のＰＧ−ＩＤをＨＯ元基地局１０ａから受信しているか否かを判定する。換言すれば、接続制御部４０６は、隣接基地局である基地局１０ｂおよび基地局１０ｃ各々のＰＧ−ＩＤが基地局情報記憶部１０２に登録されているか否かを判定する。そして、接続制御部４０６は、ＨＯ元基地局１０ａのＣＩＮＲが閾値αよりも低く、かつ、隣接基地局である基地局１０ｂおよび基地局１０ｃ各々のＰＧ−ＩＤをＨＯ元基地局１０ａから受信していない場合に、間欠受信期間情報記憶部１０３を参照する。そして、接続制御部４０６は、間欠受信期間情報記憶部１０３に記憶された間欠受信期間または他の受信期間において各隣接基地局に順次接続する。
【００９５】
具体的には、接続制御部４０６は、間欠受信期間または他の間欠受信期間が到来すると、通信端末４００と基地局１０ｂとの間の無線通信に用いられる周波数を周波数情報記憶部１０４から取得する。そして、接続制御部４０６は、周波数情報記憶部１０４から取得した周波数を無線制御部１０１に対して設定することにより、隣接基地局である基地局１０ｂに接続する。そして、接続制御部４０６は、間欠受信期間または他の間欠受信期間が再び到来すると、通信端末４００と基地局１０ｃとの間の無線通信に用いられる周波数を周波数情報記憶部１０４から取得する。そして、接続制御部４０６は、周波数情報記憶部１０４から取得した周波数を無線制御部１０１に対して設定することにより、隣接基地局である基地局１０ｃに接続する。
【００９６】
次に、図１８を用いて、実施例４に係る通信端末４００による処理手順を説明する。図１８は、実施例４に係る通信端末による処理手順を示すフローチャートである。図１８に示す処理は、ＨＯ元基地局１０ａから間欠受信指示（DREG-CMD）を受信したことを契機にして実行される。また、図１８において、ステップＳ４０７〜Ｓ４３０は、それぞれ図８に示したステップＳ１０４〜Ｓ１２７に対応するので、ここではその詳細な説明を省略する。なお、ここでは、ＨＯ元基地局１０ａは、通信端末４００に対してＰ信号を送信する送信期間と異なる他の送信期間に通信端末４００と異なる他の通信端末に対してＰ信号を送信しているものとする。
【００９７】
図１８に示すように、通信端末４００は、ＨＯ元基地局１０ａから間欠受信指示（DREG-CMD）を受信していない場合には（ステップＳ４０１；Ｎｏ）、Ｐ信号の受信履歴を保持し（ステップＳ４０２）、処理をステップＳ４０１に戻す。
【００９８】
一方、通信端末４００は、ＨＯ元基地局１０ａから間欠受信指示（DREG-CMD）を受信した場合には（ステップＳ４０１；Ｙｅｓ）、間欠受信指示（DREG-CMD）に含まれる間欠受信期間を間欠受信期間情報記憶部１０３に登録する。そして、通信端末４００は、自身の保持するＰ信号の受信履歴と、間欠受信期間情報記憶部１０３に登録された間欠受信期間とに基づいて、間欠受信期間と異なる他の間欠受信期間を取得する（ステップＳ４０３）。そして、通信端末４００は、取得した他の間欠受信期間を間欠受信期間とは別に間欠受信期間情報記憶部１０３に登録する（ステップＳ４０４）。
【００９９】
通信端末４００は、間欠受信期間情報記憶部１０３に記憶された間欠受信期間および他の間欠受信期間のいずれもが到来していない場合には（ステップＳ４０５；Ｎｏ、ステップＳ４０６；Ｎｏ）、スリープ状態となり、処理をステップＳ４０５に戻す。一方、通信端末４００は、間欠受信期間または他の間欠受信期間のいずれかが到来した場合には（ステップＳ４０５；Ｙｅｓ、または、ステップＳ４０５；Ｎｏ、ステップＳ４０６；Ｙｅｓ）、アウェイク状態となり、以下の処理を行う。すなわち、通信端末４００は、ＰＧ判定部１０７による判定処理の実施の要否を示すＰＧ判定実施フラグに「Ｔｒｕｅ（実施要）」が設定されているか否かを判定する（ステップＳ４０７）。通信端末４００は、ＰＧ判定実施フラグに「Ｆａｌｓｅ（実施不要）」が設定されている場合には（ステップＳ４０７；Ｎｏ）、処理をステップＳ４０８に進める。
【０１００】
一方、通信端末４００は、ＰＧ判定実施フラグに「Ｔｒｕｅ（実施要）」が設定されている場合には（ステップＳ４０７；Ｙｅｓ）、隣接基地局である基地局１０ｂ、１０ｃのいずれかに接続する（ステップＳ４１５）。つまり、通信端末４００は、ＨＯ元基地局１０ａのＣＩＮＲが閾値αよりも低く、かつ、隣接基地局各々のＰＧ−ＩＤをＨＯ元基地局１０ａから受信していない場合に、間欠受信期間または他の間欠受信期間において各隣接基地局に順次接続する。
【０１０１】
上述したように、本実施例によれば、通信端末４００の接続制御部４０６は、Ｐ信号の受信履歴と間欠受信期間情報記憶部１０３に記憶された間欠受信期間とに基づいて、ＨＯ元基地局１０ａのＰ信号の他の送信期間を他の間欠受信期間として取得する。接続制御部４０６は、取得した他の間欠受信期間を間欠受信期間とは別に間欠受信期間情報記憶部１０３に登録する。接続制御部４０６は、ＨＯ元基地局１０ａのＣＩＮＲが閾値よりも低く、かつ、隣接基地局各々のＰＧ−ＩＤをＨＯ元基地局１０ａから受信していない場合に、間欠受信期間または他の間欠受信期間において各隣接基地局に順次接続する。このため、ＨＯ元基地局１０ａが通信端末４００に対してＰ信号を送信する送信期間と異なる他の送信期間に通信端末４００と異なる他の通信端末に対してＰ信号を送信する場合でも、通信端末４００は、ハンドオーバに起因する電力の消費を抑えることができる。
【実施例５】
【０１０２】
上記実施例４では、間欠受信期間または他の間欠受信期間において各隣接基地局に順次接続する処理と、各隣接基地局のＣＩＮＲを測定する処理とを別個独立の処理として行う例について説明した。実施例５では、間欠受信期間または他の間欠受信期間において隣接基地局のＣＩＮＲを測定する例について説明する。
【０１０３】
図１９を用いて、実施例５に係る通信端末５００の構成について説明する。図１９は、実施例５に係る通信端末の構成を示す機能ブロック図である。なお、図１９では、図１４と同様の機能を有するブロックに同一の符号を付し、同様の処理についてはその説明を省略する。図１９に示すように、通信端末５００は、図１４に示したスキャン処理部１０９に代えて、スキャン処理部５０９を有する。
【０１０４】
スキャン処理部５０９は、接続制御部４０６によって間欠受信期間または他の間欠受信期間において接続された隣接基地局のＣＩＮＲを測定する。具体的には、スキャン処理部５０９は、基地局情報記憶部１０２を参照し、ＨＯ元基地局１０ａのＣＩＮＲが予め定めた閾値βよりも低いか否かを判定する。そして、スキャン処理部５０９は、ＨＯ元基地局１０ａのＣＩＮＲが閾値βよりも低い場合に、隣接基地局のＣＩＮＲを測定するスキャン処理を行うと決定し、接続制御部４０６が間欠受信期間または他の間欠受信期間において隣接基地局に接続したか否かを監視する。そして、スキャン処理部５０９は、接続制御部４０６が間欠受信期間または他の間欠受信期間において隣接基地局に接続したことを検出すると、接続制御部４０６によって間欠受信期間または他の間欠受信期間において接続された隣接基地局のＣＩＮＲを測定する。
【０１０５】
次に、図２０を用いて、実施例５に係る通信端末５００による処理手順を説明する。図２０は、実施例５に係る通信端末による処理手順を示すフローチャートである。図２０に示す処理は、ＨＯ元基地局１０ａから間欠受信指示（DREG-CMD）を受信したことを契機にして実行される。また、図２０において、ステップＳ５０１〜Ｓ５０７、Ｓ５０９〜Ｓ５１１は、それぞれ図１８に示したステップＳ４０１〜Ｓ４０７、Ｓ４０８〜Ｓ４１０に対応するので、ここではその詳細な説明を省略する。また、図２０において、ステップＳ５１９〜Ｓ５２５、Ｓ５２７、Ｓ５２８〜Ｓ５３１は、それぞれ図１８に示したステップＳ４１６〜Ｓ４２２、Ｓ４２４、Ｓ４２７〜Ｓ４３０に対応するので、ここではその詳細な説明を省略する。なお、ここでは、ＨＯ元基地局１０ａは、通信端末５００に対してＰ信号を送信する送信期間と異なる他の送信期間に通信端末５００と異なる他の通信端末に対してＰ信号を送信しているものとする。
【０１０６】
図２０に示すように、通信端末５００は、ＰＧ判定実施フラグに「Ｆａｌｓｅ（実施不要）」が設定されている場合には（ステップＳ５０７；Ｎｏ）、以下の処理を行う。すなわち、通信端末５００は、隣接基地局のＣＩＮＲを測定するスキャン処理の実施の要否を示すスキャン実施フラグに「Ｔｒｕｅ（実施要）」が設定されているか否かを判定する（ステップＳ５０８）。
【０１０７】
通信端末５００は、スキャン実施フラグに「Ｆａｌｓｅ（実施不要）」が設定されている場合には（ステップＳ５０８；Ｎｏ）、処理をステップＳ５０９に進める。その後、通信端末５００は、ＨＯ元基地局１０ａのＣＩＮＲが閾値βよりも低いか否かを判定する（ステップＳ５１２）。通信端末５００は、ＨＯ元基地局１０ａのＣＩＮＲが閾値β以上である場合には（ステップＳ５１２；Ｎｏ）、スリープ状態となり、処理をステップＳ５０５に戻す。
【０１０８】
一方、通信端末５００は、ＨＯ元基地局１０ａのＣＩＮＲが閾値βよりも低い場合には（ステップＳ５１２；Ｙｅｓ）、ＨＯ元基地局１０ａのＣＩＮＲが閾値γ（＜β）よりも低いか否かを判定する（ステップＳ５１３）。通信端末５００は、ＨＯ元基地局１０ａのＣＩＮＲが閾値γ以上である場合には（ステップＳ５１３；Ｎｏ）、隣接基地局のＣＩＮＲを測定するスキャン処理を行うと決定し、スキャン実施フラグに「Ｔｒｕｅ（実施要）」を設定する（ステップＳ５１４）。
【０１０９】
通信端末５００は、基地局情報記憶部１０２を参照し、隣接基地局各々のＰＧ−ＩＤをＨＯ元基地局１０ａから受信済みであるか否かを判定する（ステップＳ５１５）。通信端末５００は、隣接基地局各々のＰＧ−ＩＤをＨＯ元基地局１０ａから受信済みである場合には（ステップＳ５１５；Ｙｅｓ）、スリープ状態となり、処理をステップＳ５０５に戻す。
【０１１０】
一方、通信端末５００は、隣接基地局各々のＰＧ−ＩＤをＨＯ元基地局１０ａから受信済みでない場合には（ステップＳ５１５；Ｎｏ）、ＰＧ判定実施フラグに「Ｔｒｕｅ（実施要）」を設定し（ステップＳ５１６）、処理をステップＳ５０５に戻す。つまり、通信端末５００は、隣接基地局各々のＰＧ−ＩＤをＨＯ元基地局１０ａから受信していない場合に、間欠受信期間または他の間欠受信期間において各隣接基地局に順次接続する処理（ステップＳ５１７〜Ｓ５２７）に移行する。
【０１１１】
そして、通信端末５００は、ＰＧ判定実施フラグに「Ｔｒｕｅ（実施要）」が設定されているか、または、スキャン実施フラグに「Ｔｒｕｅ（実施要）」が設定されている場合には（ステップＳ５０７；Ｙｅｓ、ステップＳ５０８；Ｙｅｓ）、以下の処理を行う。すなわち、通信端末５００は、隣接基地局である基地局１０ｂ、１０ｃのいずれかに接続する（ステップＳ５１７）。つまり、通信端末５００は、間欠受信期間または他の間欠受信期間において隣接基地局に接続する。続いて、通信端末５００は、間欠受信期間または他の間欠受信期間において接続された隣接基地局のＣＩＮＲを測定し（ステップＳ５１８）、処理をステップＳ５１９に進める。
【０１１２】
その後、通信端末５００は、全隣接基地局への接続を済ませた場合には（ステップＳ５２５；Ｙｅｓ）、ＰＧ判定実施フラグおよびスキャン実施フラグに「Ｆａｌｓｅ（実施不要）」を設定し（ステップＳ５２６）、処理をステップＳ５２７に移行する。
【０１１３】
上述したように、本実施例において、通信端末５００のスキャン処理部５０９は、接続制御部４０６によって間欠受信期間または他の間欠受信期間において接続された隣接基地局のＣＩＮＲを測定する。このため、通信端末５００は、間欠受信期間または他の間欠受信期間において各隣接基地局に順次接続する処理と、各隣接基地局のＣＩＮＲを測定する処理とを一連の処理として実行することができ、全体処理を効率化することができる。結果として、本実施例の通信端末５００は、ハンドオーバに起因する電力の消費を一層抑えることができる。
【０１１４】
〔ハードウェア構成〕
次に、図２１を参照して、上記実施例１〜５に係る通信端末のハードウェア構成について説明する。図２１は、通信端末のハードウェア構成図である。
【０１１５】
通信端末は、図２１に示すように、メモリ６０１、プロセッサ６０２、アンテナ６０３、ＲＦ（Radio  Frequency）回路６０４、タッチパネル６０５およびＬＣＤ（Liquid  Crystal  Display）６０６を有する。メモリ６０１、ＲＦ回路６０４、タッチパネル６０５およびＬＣＤ６０６は、それぞれプロセッサ６０２と接続されている。また、アンテナ６０３は、ＲＦ回路６０４と接続されている。
【０１１６】
メモリ６０１は、記憶装置である。メモリ６０１は、図３に示した無線制御部１０１、測定部１０５、接続制御部１０６、ＰＧ判定部１０７、ＨＯ制御部１０８およびスキャン処理部１０９などによる処理を実現する各種プログラムを記憶している。また、メモリ６０１は、図９に示した指示有無判定部２１０および動作実行部２１１などによる処理を実現する各種プログラムを記憶している。また、メモリ６０１は、図１２に示した接続制御部３０６およびスキャン処理部３０９などによる処理を実現する各種プログラムを記憶している。また、メモリ６０１は、図１４に示した接続制御部４０６などによる処理を実現する各種プログラムを記憶している。また、メモリ６０１は、図１９に示したスキャン処理部５０９などによる処理を実現する各種プログラムを記憶している。
【０１１７】
ＲＦ回路６０４は、アンテナ６０３を介して基地局１０ａ〜１０ｃと通信を行う。例えば、ＲＦ回路６０４、プロセッサ６０２およびメモリ６０１により、図３に示した無線制御部１０１の機能が実現される。
【０１１８】
また、プロセッサ６０２およびメモリ６０１は、例えば、図３に示した無線制御部１０１、測定部１０５、接続制御部１０６、ＰＧ判定部１０７、ＨＯ制御部１０８およびスキャン処理部１０９などの機能を実現する。また、プロセッサ６０２およびメモリ６０１は、例えば、図９に示した指示有無判定部２１０および動作実行部２１１などの機能を実現する。また、プロセッサ６０２およびメモリ６０１は、例えば、図１２に示した接続制御部３０６およびスキャン処理部３０９などの機能を実現する。また、プロセッサ６０２およびメモリ６０１は、例えば、図１４に示した接続制御部４０６などの機能を実現する。また、プロセッサ６０２およびメモリ６０１は、例えば、図１９に示したスキャン処理部５０９などの機能を実現する。
【０１１９】
例えば、プロセッサ６０２は、メモリ６０１に記憶されている各種プログラムを読み出して、メモリ６０１上に各種機能を実現するプロセスを生成する。そして、プロセッサ６０２は、各部と共に、メモリ６０１上に生成されたプロセスを実行することで、各種処理を行う。
【符号の説明】
【０１２０】
１０ａ〜１０ｃ  基地局
１００、２００、３００、４００、５００  通信端末
１０１  無線制御部
１０２  基地局情報記憶部
１０３  間欠受信期間情報記憶部
１０４  周波数情報記憶部
１０５  測定部
１０６、３０６、４０６  接続制御部
１０７  ＰＧ判定部
１０８  ＨＯ制御部
１０９、３０９、５０９  スキャン処理部
２１０  指示有無判定部
２１１  動作実行部
【図１】
0005888130.tif 000002
【図２】
0005888130.tif 000003
【図３】
0005888130.tif 000004
【図４】
0005888130.tif 000005
【図５】
0005888130.tif 000006
【図６】
0005888130.tif 000007
【図７】
0005888130.tif 000008
【図８】
0005888130.tif 000009
【図９】
0005888130.tif 000010
【図１０】
0005888130.tif 000011
【図１１】
0005888130.tif 000012
【図１２】
0005888130.tif 000013
【図１３】
0005888130.tif 000014
【図１４】
0005888130.tif 000015
【図１５】
0005888130.tif 000016
【図１６】
0005888130.tif 000017
【図１７】
0005888130.tif 000018
【図１８】
0005888130.tif 000019
【図１９】
0005888130.tif 000020
【図２０】
0005888130.tif 000021
【図２１】
0005888130.tif 000022